(57)【要約】【課題】多様なマッサージ感および温感を適切に付与可能なマッサージブロック、および、このマッサージブロックを備えるマッサージ装置を提供する。【解決手段】マッサージブロックは、ヒーター６１と、アーム６２と、第１の施療子７０と、第１の施療子７０よりも硬い第２の施療子８０とを備える。マッサージブロックはさらに、アーム６２に対する第１の施療子７０および第２の施療子８０の位置をマッサージが可能な位置でありヒーター６１の前方部分６１Ａと隣り合う位置である施療位置、または、施療位置とは別の位置である非施療位置に変更する変更部９０を備える。施療位置に配置される第１の施療子７０におけるヒーター６１の前方部分６１Ａよりも前方の部分である第１の施療部分７０Ａの量が、施療位置に配置される第２の施療子８０におけるヒーター６１の前方部分６１Ａよりも前方の部分である第２の施療部分８０Ａの量よりも大きい。【選択図】図２
2016112096.tif 000002
【特許請求の範囲】
【請求項１】
ヒーターと、
前記ヒーターが取り付けられるアームと、
前記アームに取り付けられる第１の施療子と、
前記アームに取り付けられ、前記第１の施療子よりも硬い第２の施療子と、
前記アームに対する前記第１の施療子および前記第２の施療子の位置をマッサージが可能な位置であり前記ヒーターの前方部分と隣り合う位置である施療位置、または、前記施療位置とは別の位置に変更する変更部とを備え、
前記施療位置に配置される前記第１の施療子における前記ヒーターの前方部分よりも前方の部分である第１の施療部分の量が、前記施療位置に配置される前記第２の施療子における前記ヒーターの前方部分よりも前方の部分である第２の施療部分の量よりも大きい
マッサージブロック。
【請求項２】
前記第１の施療部分の量が前記第２の施療部分の量よりも大きいことについて、前記第１の施療部分の前方端と前記ヒーターの前方端との距離である第１の距離が前記第２の施療部分の前方端と前記ヒーターの前方端との距離である第２の距離よりも長いことが少なくとも寄与している
請求項１に記載のマッサージブロック。
【請求項３】
前記第１の施療部分の量が前記第２の施療部分の量よりも大きいことについて、前記第１の施療子の直径が前記第２の施療子の直径よりも長いことが少なくとも寄与している
請求項１に記載のマッサージブロック。
【請求項４】
前記変更部は、前記第１の施療子および前記第２の施療子を支持し、前記アームに対して回転可能な状態で前記アームに取り付けられる支持部、ならびに、前記支持部を前記アームに対して回転させる駆動部を含む
請求項１〜３のいずれか一項に記載のマッサージブロック。
【請求項５】
前記第１の施療部分の量が前記第２の施療部分の量よりも大きいことについて、前記支持部の回転軸から前記第１の施療子の中心軸までの距離が前記支持部の回転軸から前記第２の施療子の中心軸までの距離よりも長いことが少なくとも寄与している
請求項４に記載のマッサージブロック。
【請求項６】
前記第１の施療子を回転可能な状態で支持する第１の支持軸と前記第１の施療子との間に配置される弾性部材、および、前記第２の施療子を回転可能な状態で支持する第２の支持軸と前記第２の施療子との間に配置される弾性部材の少なくとも一方をさらに備える
請求項１〜５のいずれか一項に記載のマッサージブロック。
【請求項７】
前記ヒーターと前記アームとの間に配置される弾性部材をさらに備える
請求項１〜６のいずれか一項に記載のマッサージブロック。
【請求項８】
請求項１〜７のいずれか一項に記載のマッサージブロックを備える
マッサージ装置。
【発明の詳細な説明】
【技術分野】
【０００１】
本発明はマッサージブロック、および、このマッサージブロックを備えるマッサージ装置に関する。
【背景技術】
【０００２】
使用者に温感を付与しながらマッサージするマッサージブロックが知られている。その一例である特許文献１のマッサージブロックは、施療子、施療子と並べて配置されるヒーター、ならびに、施療子およびヒーターを支持するアームを備える。ヒーターはアームからの突出量が変化するようにアームに取り付けられる。ヒーターにおけるアームからの突出量が多くなるにつれてヒーターが使用者の背中に近づくため、使用者に付与される温感が強くなる。一方、ヒーターにおけるアームからの突出量が少なくなるにつれてヒーターが使用者の背中から離れるため、使用者に付与される温感が弱くなる。
【先行技術文献】
【特許文献】
【０００３】
【特許文献１】特開２００９−５６０１７号公報
【発明の概要】
【発明が解決しようとする課題】
【０００４】
特許文献１のマッサージブロックによれば、使用者に付与する温感の強弱を調整できるとはいえ、使用者に多様なマッサージ感を付与する点については十分に考慮されていない。その点を改善するため、例えば、特許文献１のマッサージブロックのアームに硬さが異なる２種類の施療子を取り付け、マッサージに使用する施療子を変更する方法が考えられる。しかし、この方法によれば、相対的に軟らかい施療子が使用者のマッサージ部位に押し付けられている場合、その施療子が大きく変形し、ヒーターが使用者のマッサージ部位に強く接触するおそれがある。このため、使用者が違和感を覚えるおそれがある。
【０００５】
本発明の目的は、多様なマッサージ感および温感を適切に付与可能なマッサージブロック、および、このマッサージブロックを備えるマッサージ装置を提供することである。
【課題を解決するための手段】
【０００６】
本発明に従うマッサージブロックの一形態は、ヒーターと、前記ヒーターが取り付けられるアームと、前記アームに取り付けられる第１の施療子と、前記アームに取り付けられ、前記第１の施療子よりも硬い第２の施療子と、前記アームに対する前記第１の施療子および前記第２の施療子の位置をマッサージが可能な位置であり前記ヒーターの前方部分と隣り合う位置である施療位置、または、前記施療位置とは別の位置に変更する変更部とを備え、前記施療位置に配置される前記第１の施療子における前記ヒーターの前方部分よりも前方の部分である第１の施療部分の量が、前記施療位置に配置される前記第２の施療子における前記ヒーターの前方部分よりも前方の部分である第２の施療部分の量よりも大きい。
【０００７】
本発明に従うマッサージ装置の一形態は、上記マッサージブロック備える。
【発明の効果】
【０００８】
上記マッサージブロック、および、このマッサージブロックを備えるマッサージ装置によれば、多様なマッサージ感および温感を適切に付与することに寄与する。
【図面の簡単な説明】
【０００９】
【図１】は実施の形態１のマッサージ装置の斜視図である。
【図２】は図１のマッサージブロックの施療部の正面図である。
【図３】は図２の第１の施療子が施療位置に配置された施療部の側面図である。
【図４】は図２の第２の施療子が施療位置に配置された施療部の側面図である。
【図５】は実施の形態２のマッサージブロックの施療部の正面図である。
【図６】は図５の第１の施療子が施療位置に配置された施療部の側面図である。
【図７】は図５の第２の施療子が施療位置に配置された施療部の側面図である。
【図８】は実施の形態３の施療部の側面図である。
【図９】は実施の形態４の施療部の側面図である。
【発明を実施するための形態】
【００１０】
（マッサージブロックおよびマッサージ装置が取り得る形態の一例）
〔１〕本発明に従うマッサージブロックの一形態は、ヒーターと、前記ヒーターが取り付けられるアームと、前記アームに取り付けられる第１の施療子と、前記アームに取り付けられ、前記第１の施療子よりも硬い第２の施療子と、前記アームに対する前記第１の施療子および前記第２の施療子の位置をマッサージが可能な位置であり前記ヒーターの前方部分と隣り合う位置である施療位置、または、前記施療位置とは別の位置に変更する変更部とを備え、前記施療位置に配置される前記第１の施療子における前記ヒーターの前方部分よりも前方の部分である第１の施療部分の量が、前記施療位置に配置される前記第２の施療子における前記ヒーターの前方部分よりも前方の部分である第２の施療部分の量よりも大きい。
【００１１】
このマッサージブロックによれば、ヒーターにより使用者に温感が与えられる。また、相対的に硬さが異なる第１の施療子および第２の施療子がマッサージに用いられることにより、使用者に多様なマッサージ感が与えられる。
【００１２】
一方、相対的に柔らかい第１の施療子が使用者のマッサージ部位に押し付けられた場合、相対的に硬い第２の施療子が使用者のマッサージ部位に押し付けられた場合よりも第１の施療子が大きく変形する。これは、上記第１の施療部分の量および第２の施療部分の量の関係を含まないマッサージブロックにおいて、第１の施療子がマッサージに用いられる場合にヒーターが使用者のマッサージ部位に接触するおそれが高いことを意味する。
【００１３】
上記〔１〕のマッサージブロックによれば、第１の施療部分の量が第２の施療部分の量よりも大きいため、各施療部分の量がそれ以外の関係を有する場合と比較して、第１の施療子が変形してもヒーターが使用者のマッサージ部位に接触しにくい。このため、多様なマッサージ感および温感が適切に付与されやすい。
【００１４】
〔２〕前記マッサージブロックの一例によれば、前記第１の施療部分の量が前記第２の施療部分の量よりも大きいことについて、前記第１の施療部分の前方端と前記ヒーターの前方端との距離である第１の距離が前記第２の施療部分の前方端と前記ヒーターの前方端との距離である第２の距離よりも長いことが少なくとも寄与している。
【００１５】
このマッサージブロックによれば、第１の施療子が施療位置に配置される場合に第１の距離が第２の距離よりも長くなるように変更部が構成される。そして、第１の距離が第２の距離よりも長いことにより、施療位置に配置された第１の施療子における第１の施療部分の量が施療位置に配置された第２の施療子における第２の施療部分の量よりも大きくなる。
【００１６】
〔３〕前記マッサージブロックの一例によれば、前記第１の施療部分の量が前記第２の施療部分の量よりも大きいことについて、前記第１の施療子の直径が前記第２の施療子の直径よりも長いことが少なくとも寄与している。
【００１７】
このマッサージブロックによれば、第１の施療子および第２の施療子において硬さおよび直径以外の各種の設計要素を揃えることができる。このため、各施療子の設計を簡略化することに寄与する。
【００１８】
〔４〕前記マッサージブロックの一例によれば、前記変更部は、前記第１の施療子および前記第２の施療子を支持し、前記アームに対して回転可能な状態で前記アームに取り付けられる支持部、ならびに、前記支持部を前記アームに対して回転させる駆動部を含む。
【００１９】
このマッサージブロックによれば、支持部が駆動部によりアームに対して回転することにより、第１の施療子および第２の施療子の一方が施療位置に配置される。１つの要素を回転することにより施療位置に配置される施療子が変更されるため、複数の要素を駆動して施療位置に配置される施療子を変更する場合と比較して、マッサージブロックの構成を簡素化しやすい。
【００２０】
〔５〕前記マッサージブロックの一例によれば、前記第１の施療部分の量が前記第２の施療部分の量よりも大きいことについて、前記支持部の回転軸から前記第１の施療子の中心軸までの距離が前記支持部の回転軸から前記第２の施療子の中心軸までの距離よりも長いことが少なくとも寄与している。
【００２１】
このマッサージブロックによれば、第１の施療子および第２の施療子において硬さ以外の各種の設計要素を揃えることができる。このため、各施療子の設計を簡略化することに寄与する。
【００２２】
〔６〕前記マッサージブロックの一例によれば、前記第１の施療子を回転可能な状態で支持する第１の支持軸と前記第１の施療子との間に配置される弾性部材、および、前記第２の施療子を回転可能な状態で支持する第２の支持軸と前記第２の施療子との間に配置される弾性部材の少なくとも一方をさらに備える。
【００２３】
このマッサージブロックによれば、第１の施療子または第２の施療子が使用者のマッサージ部位に押し付けられたとき、第１の支持軸または第２の支持軸のまわりに配置された弾性部材が弾性変形する。このため、弾性部材が含まれない場合と比較して、第１の施療子または第２の施療子が使用者のマッサージ部位に過度に強く接触するおそれが低減される。
【００２４】
〔７〕前記マッサージブロックの一例によれば、前記ヒーターと前記アームとの間に配置される弾性部材をさらに備える。
このマッサージブロックによれば、第１の施療子または第２の施療子の変形にともないヒーターが使用者のマッサージ部位に押し付けられたとしても、弾性部材が弾性変形する。このため、弾性部材が含まれない場合と比較して、ヒーターが使用者のマッサージ部位に強く接触するおそれが低減される。
【００２５】
〔８〕本発明に従うマッサージ装置の一形態は、上記〔１〕〜〔７〕のいずれかに記載のマッサージブロックを備える。
このマッサージ装置によれば、多様なマッサージ感および温感を適切に付与できる。
【００２６】
（実施の形態１）
図１を参照して、マッサージ装置１の構成について説明する。
椅子型のマッサージ装置１は座１０、座１０の後方に取り付けられる背もたれ２０、座１０の側方に取り付けられる一対の肘掛け３０、および、座１０の前方に取り付けられるオットマン４０を備える。マッサージ装置１はさらに、使用者の上半身をマッサージするマッサージブロック５０、および、背もたれ２０の内部に配置され、マッサージブロック５０を支持するレール２０Ａを備える。
【００２７】
マッサージブロック５０はレール２０Ａに沿って移動できるように、例えばラックアンドピニオン機構（図示略）を介してレール２０Ａに取り付けられている。マッサージブロック５０は背もたれ２０の幅方向に配置される一対の施療部６０を備える。
【００２８】
図２を参照して、施療部６０の構成について説明する。なお、一対の施療部６０は実質的に同一の構成であるため、一方の施療部６０についてのみ説明し、他方の施療部６０についての説明を省略する。
【００２９】
施療部６０はマッサージ部位に温感を付与するヒーター６１、ヒーター６１が取り付けられるアーム６２、第１の施療子７０、第２の施療子８０、および、アーム６２に対する第１の施療子７０と第２の施療子８０との位置を変更する変更部９０を備える。
【００３０】
ヒーター６１は施療部６０の幅方向においてアーム６２と第１の施療子７０および第２の施療子８０との間に配置されている。
アーム６２は回転軸６２Ａまわりで回転できるように回転軸６２Ａにより支持されている。回転軸６２Ａはマッサージブロック５０の本体に支持されている。このため、アーム６２はモーター（図示略）から伝達される力により回転軸６２Ａのまわりでマッサージブロック５０の本体に対して回転する。
【００３１】
アーム６２が回転軸６２Ａのまわりに一方の方向に回転するとき、アーム６２の先端が背もたれ２０（図１参照）からマッサージ部位に接近する方向に移動する。アーム６２が回転軸６２Ａのまわりに他方の方向に回転するとき、アーム６２の先端がマッサージ部位から背もたれ２０（図１参照）に接近する方向に移動する。
【００３２】
第１の施療子７０および第２の施療子８０は施療部６０の長手方向において並べられている。第１の施療子７０および第２の施療子８０は表面の硬さが相対的に異なる。一例では、第１の施療子７０の表面の硬さが第２の施療子８０の表面の硬さよりも柔らかい。第１の施療子７０の硬さはソフトなマッサージ感をマッサージ部位に付与することに適している。第２の施療子８０の硬さはハードなマッサージ感をマッサージ部位に付与することに適している。第２の施療子８０の直径は第１の施療子７０の直径よりも短い。
【００３３】
変更部９０はアーム６２に対する第１の施療子７０および第２の施療子８０の位置をマッサージが可能な位置であり、かつ、ヒーター６１の前方部分６１Ａと隣り合う位置である施療位置、または、施療位置とは別の位置である非施療位置に変更する。変更部９０は第１の施療子７０と第２の施療子８０とを支持する支持部９１、支持部９１とアーム６２とを連結する回転軸９２、および、回転軸９２を回転させるモーター９３を備える。
【００３４】
支持部９１の長手方向の一方の端部に第１の施療子７０が第１の支持軸９１Ａを介して回転可能に支持されている。支持部９１の長手方向の他方の端部に第２の施療子８０が第２の支持軸９１Ｂを介して回転可能に支持されている。第１の支持軸９１Ａの中心は第１の施療子７０の中心軸Ｃ２を形成する。第２の支持軸９１Ｂの中心は第２の施療子８０の中心軸Ｃ３を形成する。
【００３５】
回転軸９２はアーム６２、ヒーター６１、および、支持部９１を貫通している。回転軸９２の先端は支持部９１と連結されている。回転軸９２の中心軸Ｃ１から第１の施療子７０の中心軸Ｃ２までの距離Ｌ１は、回転軸９２の中心軸Ｃ１から第２の施療子８０の中心軸Ｃ３までの距離Ｌ２と等しい。
【００３６】
モーター９３は、アーム６２の側方に取り付けられ、回転軸９２を回転させる。
図３および図４を参照して、施療子７０，８０の施療位置について説明する。
図３に示されるように、第１の施療子７０の施療位置は第１の施療子７０が使用者のマッサージ部位をマッサージ可能な位置であり、第１の施療子７０がヒーター６１の前方部分６１Ａと隣り合う位置である。第１の施療子７０が施療位置に配置される場合、第１の施療子７０のうちのヒーター６１の前方部分６１Ａよりも前方の部分である第１の施療部分７０Ａがマッサージ部位と主に接触して変形する。第１の施療子７０が施療位置に配置される場合、第２の施療子８０は非施療位置に配置される。
【００３７】
図４に示されるように、第２の施療子８０の施療位置は第２の施療子８０が使用者のマッサージ部位をマッサージ可能な位置であり、第２の施療子８０がヒーター６１の前方部分６１Ａと隣り合う位置である。第２の施療子８０が施療位置に配置される場合、第２の施療子８０のうちのヒーター６１の前方部分６１Ａよりも前方の部分である第２の施療部分８０Ａがマッサージ部位と主に接触して変形する。第２の施療子８０が施療位置に配置される場合、第１の施療子７０は非施療位置に配置される。
【００３８】
マッサージブロック５０によれば、距離Ｌ１および距離Ｌ２（図２参照）が等しく、第１の施療子７０の直径が第２の施療子８０の直径よりも長い。このため、施療位置に配置される第１の施療部分７０Ａの前方端７０Ｂとヒーター６１の前方端６１Ｂとの距離ＸＡ（図３参照）は、第２の施療部分８０Ａの前方端８０Ｂとヒーター６１の前方端６１Ｂとの距離ＸＢ（図４参照）よりも長い。このため、第１の施療部分７０Ａの量の一例である第１の施療部分７０Ａの体積が第２の施療部分８０Ａの量の一例である第２の施療部分８０Ａの体積よりも大きい。
【００３９】
第１の施療部分７０Ａの量は、マッサージ部位との接触にともない第１の施療部分７０Ａとマッサージ部位との接触面がヒーター６１の前方端６１Ｂに到達するまでに第１の施療部分７０Ａが変形する量により評価できる。この量が大きいほど、第１の施療部分７０Ａが変形しても第１の施療部分７０Ａとマッサージ部位との接触面がヒーター６１の前方端６１Ｂに到達しにくい。なお、第２の施療部分８０Ａについても同様の事項が当てはまる。
【００４０】
マッサージブロック５０の作用について説明する。
図３に示されるように、第１の施療子７０が施療位置に配置される場合にアーム６２が一方の方向に回転することにより、アーム６２の先端がマッサージ部位に接近する方向に移動する。このため、第１の施療子７０がマッサージ部位に押し付けられる。
【００４１】
図４に示されるように、モーター９３（図２参照）が駆動することにより回転軸９２、および、回転軸９２の先端に固定されている支持部９１がアーム６２に対して回転する。このため、第１の施療子７０が施療位置から非施療位置に移動し、第２の施療子８０が非施療位置から施療位置に移動する。
【００４２】
第２の施療子８０が施療位置に配置される場合にアーム６２が一方の方向に回転することにより、アーム６２の先端がマッサージ部位に接近する方向に移動する。このため、第２の施療子８０がマッサージ部位に押し付けられる。
【００４３】
一対の施療部６０によるマッサージが行われているとき、ヒーター６１は熱を出力する。このため、マッサージブロック５０はマッサージ部位をマッサージしながらヒーター６１によりマッサージ部位に温感を付与できる。
【００４４】
図３に示される相対的に柔らかい第１の施療子７０が使用者のマッサージ部位に押し付けられた場合、相対的に硬い第２の施療子８０が使用者のマッサージ部位に押し付けられた場合よりも第１の施療子７０が二点鎖線で示されるように大きく変形する。一方、第１の施療部分７０Ａの体積が第２の施療部分８０Ａの体積よりも大きい。このため、各施療部分７０Ａ，８０Ａの量がそれ以外の関係を有する場合と比較して、第１の施療子７０が変形してもヒーター６１が使用者のマッサージ部位に接触しにくい。このため、多様なマッサージ感および温感が適切に付与されやすい。
【００４５】
マッサージブロック５０によればさらに以下の効果が得られる。
（１）相対的に硬さが異なる第１の施療子７０および第２の施療子８０がマッサージに用いられる。このため、使用者に多様なマッサージ感が与えられる。
【００４６】
（２）支持部９１がモーター９３によりアーム６２に対して回転することにより、第１の施療子７０および第２の施療子８０の一方が施療位置に配置される。１つの要素を回転することにより施療位置に配置される施療子７０，８０が変更されるため、複数の要素を駆動して施療位置に配置される施療子７０，８０を変更する場合と比較して、マッサージブロック５０の構成を簡素化しやすい。
【００４７】
（３）第１の施療子７０の直径が第２の施療子８０の直径よりも長いことにより、第１の施療部分７０Ａの体積が第２の施療部分８０Ａの体積よりも大きい。このため、第１の施療子７０および第２の施療子８０において硬さおよび直径以外の各種の設計要素を揃えることができる。このため、第１の施療子７０および第２の施療子８０の設計を簡略化することに寄与できる。
【００４８】
（実施の形態２）
図５は実施の形態２のマッサージブロック５０の施療部６０を示す。実施の形態２のマッサージブロック５０は実施の形態１のマッサージブロック５０の施療部６０が以下のとおり変更された構成を備える。なお、実施の形態１と共通する符号が付された要素は実施の形態１の対応する要素と同様または類似の機能を備える。
【００４９】
施療部６０は支持部９１の一方の端部に回転可能に取り付けられる第１の施療子２７０、および、支持部９１の他方の端部に回転可能に取り付けられる第２の施療子２８０を備える。第２の施療子２８０の表面の硬さは第１の施療子２７０の表面の硬さよりも硬い。第２の施療子２８０の直径と第１の施療子２７０の直径とは等しい。
【００５０】
図６に示されるとおり、第１の施療子２７０が施療位置に配置される場合、第１の施療子２７０のうちのヒーター６１の前方部分６１Ａよりも前方の部分である第１の施療部分２７０Ａがマッサージ部位と主に接触して変形する。
【００５１】
図７に示されるとおり、第２の施療子２８０が施療位置に配置される場合、第２の施療子２８０のうちのヒーター６１の前方部分６１Ａよりも前方の部分である第２の施療部分２８０Ａがマッサージ部位と主に接触して変形する。
【００５２】
図５に示されるとおり、変更部９０の回転軸１９２は支持部９１の長手方向の中心に対して長手方向の一方にオフセットしている。一例では、回転軸１９２が第１の施療子７０よりも第２の施療子８０の近くに配置されている。このため、回転軸１９２の中心軸Ｃ１から第１の施療子２７０の中心軸Ｃ２までの距離Ｌ３は回転軸１９２の中心軸Ｃ１から第２の施療子２８０の中心軸Ｃ３までの距離Ｌ４よりも長い。このため、図６に示されるとおり、第１の施療部分２７０Ａの体積（図６参照）が第２の施療部分２８０Ａの体積（図７参照）よりも大きい。
【００５３】
実施の形態２のマッサージブロック５０によれば、実施の形態１のマッサージブロック５０により得られる（１）および（２）の効果に加えて、さらに以下の効果が得られる。
（４）距離Ｌ３が距離Ｌ４よりも長いことにより、第１の施療部分２７０Ａの体積が第２の施療部分２８０Ａの体積よりも大きい。このため、第１の施療子２７０および第２の施療子２８０において硬さ以外の各種の設計要素を揃えることができる。このため、各施療子２７０，２８０の設計を簡略化することに寄与する。
【００５４】
（実施の形態３）
図８は実施の形態３のマッサージブロック５０の施療部６０を示す。実施の形態３のマッサージブロック５０は実施の形態１のマッサージブロック５０の施療部６０が以下のとおり変更された構成を備える。なお、実施の形態１と共通する符号が付された要素は実施の形態１の対応する要素と同様または類似の機能を備える。
【００５５】
施療部６０は第１の支持軸９１Ａと第１の施療子７０との間に配置される第１の弾性部材９４、および、第２の支持軸９１Ｂと第２の施療子８０との間に配置される第２の弾性部材９５をさらに備える。一例では、第１の施療子７０の内周に第１の弾性部材９４が固定され、第１の弾性部材９４と第１の支持軸９１Ａとの間に軸受（図示略）が配置される。第２の施療子８０および第２の弾性部材９５も実質的に同様の構造を備える。
【００５６】
実施の形態３のマッサージブロック５０によれば、実施の形態１のマッサージブロック５０により得られる（１）および（２）の効果に加えて、さらに以下の効果が得られる。
（５）施療位置に配置される第１の施療子７０が使用者のマッサージ部位に押し付けられたとき、第１の支持軸９１Ａのまわりに配置された第１の弾性部材９４が弾性変形する。このため、第１の弾性部材９４が含まれない場合と比較して、第１の施療子７０が使用者のマッサージ部位に過度に強く接触するおそれが低減される。なお、第２の弾性部材９５によっても上述の効果と同様の効果が得られる。
【００５７】
（実施の形態４）
図９は実施の形態４のマッサージブロック５０の施療部６０を示す。実施の形態４のマッサージブロック５０は実施の形態１のマッサージブロック５０の施療部６０が以下のとおり変更された構成を備える。なお、実施の形態１と共通する符号が付された要素は実施の形態１の対応する要素と同様または類似の機能を備える。
【００５８】
施療部６０は第１の施療子４１０と第２の施療子４２０とを回転可能に支持する第１の支持部４５０、および、第３の施療子４３０と第４の施療子４４０とを回転可能に支持する第２の支持部４６０を備える。第１の支持部４５０および第２の支持部４６０は回転軸９２と連結されている。第１の支持部４５０の長手方向に沿う中心線と第２の支持部４６０の長手方向に沿う中心線とは平面上において実質的に直交する。回転軸９２が回転することにより第１の支持部４５０および第２の支持部４６０が回転し、施療部分に配置される施療子が変更される。
【００５９】
一例では、第１の施療子４１０の直径、第２の施療子４２０の直径、および、第４の施療子４４０の直径は等しい。これらの直径は第３の施療子４３０の直径よりも長い。第１の施療子４１０の表面の硬さおよび第３の施療子４３０の表面の硬さは等しい。第２の施療子４２０の表面の硬さおよび第４の施療子４４０の表面の硬さは等しく、第１の施療子４１０の表面の硬さおよび第３の施療子４３０の表面の硬さよりも硬い。
【００６０】
回転軸９２の中心軸Ｃ１から第１の施療子４１０の中心軸Ｃ４１までの距離Ｌ４１は回転軸９２の中心軸Ｃ１から第２の施療子４２０の中心軸Ｃ４２までの距離Ｌ４２よりも長い。回転軸９２の中心軸Ｃ１から第３の施療子４３０の中心軸Ｃ４３までの距離Ｌ４３は回転軸９２の中心軸Ｃ１から第４の施療子４４０の中心軸Ｃ４４までの距離Ｌ４４と等しい。
【００６１】
施療部６０に関する上記構成により各施療子４１０，４２０，４３０，４４０の施療部分の量は次の関係を有する。第１の施療子４１０の施療部分の量は第２の施療子４２０の施療部分の量よりも大きい。第３の施療子４３０の施療部分の量は第４の施療子４４０の施療部分の量よりも大きい。
【００６２】
実施の形態４のマッサージブロック５０によれば、実施の形態１のマッサージブロック５０により得られる（１）および（２）の効果、ならびに、実施の形態２のマッサージブロック５０により得られる（４）の効果が得られる。
【００６３】
（変形例）
実施の形態に関する説明は本発明に従うマッサージブロックおよびマッサージ装置が取り得る形態の例示であり、その形態を制限することを意図していない。本発明に従うマッサージブロックおよびマッサージ装置は実施の形態以外に例えば以下に示される実施の形態の変形例、および、相互に矛盾しない少なくとも２つの変形例が組み合わせられた形態を取り得る。
【００６４】
・実施の形態１の施療部６０の変形例はヒーター６１とアーム６２との間に配置される弾性部材をさらに備える。一例では、弾性部材はヒーター６１に形成される穴を通過してヒーター６１を支持する回転軸９２と穴との間に配置される。この変形例によれば、第１の施療子７０または第２の施療子８０の変形にともないヒーター６１がマッサージ部位に押し付けられたとしても、回転軸９２のまわりに配置された弾性部材が弾性変形する。このため、弾性部材が含まれない場合と比較して、ヒーター６１がマッサージ部位に強く接触するおそれが低減される。
【００６５】
・実施の形態１の変形例によれば、距離Ｌ１が距離Ｌ２よりも長い。
・実施の形態４の変形例によれば、第１の施療子４１０が第２の施療子４２０よりも軟らかい。また、第３の施療子４３０が第４の施療子４４０よりも軟らかい。こうした硬さの関係は、例えば第１の施療子４１０および第３の施療子４３０にスリットを形成することにより実現できる。ただし、この手段に限られない。
【００６６】
・実施の形態１〜３の変形例によれば、第１の施療子７０，２７０の表面にスリットが形成されることにより、第２の施療子８０，２８０よりも軟らかい。
・実施の形態３の変形例によれば、第１の施療子２７０の直径が第２の施療子２８０の直径よりも長い。
【００６７】
・実施の形態３の変形例によれば、第１の弾性部材９４または第２の弾性部材９５が省略される。
・実施の形態４の変形例によれば、第１の施療子４１０または第３の施療子４３０が省略される。
【００６８】
・実施の形態４の変形例によれば、第２の施療子４２０または第４の施療子４４０が省略される。
・実施の形態１〜４において、各施療子の施療部分の量を異なる大きさに設定するための手段は各実施の形態に例示された手段に限られない。その他の手段の一例によれば、第１の施療子７０の幅が第２の施療子８０の幅よりも広く設定されることにより、第１の施療部分７０Ａの量が第２の施療部分８０Ａの量よりも大きく設定される。この場合、第１の施療子７０および第２の施療子８０において硬さおよび幅以外の各種の設計要素を揃えることができる。
【００６９】
・実施の形態１〜４および上記変形例において、各施療子の施療部分の量を異なる大きさに設定するための複数の手段の少なくとも２つを組み合わせることができる。すなわち、各施療子の直径の関係、支持部の中心軸と施療子の中心軸との距離の関係、および、各施療子の幅の関係の少なくとも２つを組み合わせることができる。
【００７０】
・実施の形態１〜４の変形例によれば、肘掛け３０およびオットマン４０の少なくとも一方が省略される。
・実施の形態１〜４の変形例によれば、マッサージブロック５０が座１０の内部、および、オットマン４０の内部の少なくとも一方に配置される。
【００７１】
・実施の形態１〜４のマッサージブロック５０が搭載される対象は椅子型の形態のマッサージ装置に限られない。実施の形態１〜４のマッサージブロック５０の変形例によれば、オットマンのみの形態のマッサージ装置、または、座のみの形態のマッサージ装置に搭載される。
【産業上の利用可能性】
【００７２】
本発明は家庭用および業務用をはじめとして各種のマッサージ装置に適用できる。
【符号の説明】
【００７３】
１      ：マッサージ装置
５０    ：マッサージブロック
６１    ：ヒーター
６１Ａ  ：前方部分
６１Ｂ  ：前方端
６２    ：アーム
７０    ：第１の施療子
７０Ａ  ：第１の施療部分
７０Ｂ  ：前方端
８０  ：第２の施療子
８０Ａ  ：第２の施療部分
８０Ｂ  ：前方端
９０    ：変更部
９１    ：支持部
９１Ａ  ：第１の支持軸
９１Ｂ  ：第２の支持軸
９２    ：回転軸
９３    ：モーター（駆動部）
９４    ：第１の弾性部材
９５    ：第２の弾性部材
２７０  ：第１の施療子
２７０Ａ：第１の施療部分
２８０  ：第２の施療子
２８０Ａ：第２の施療部分
４１０  ：第１の施療子
４２０  ：第２の施療子
４５０  ：支持部
４６０  ：支持部
【図１】
2016112096.tif 000003
【図２】
2016112096.tif 000004
【図３】
2016112096.tif 000005
【図４】
2016112096.tif 000006
【図５】
2016112096.tif 000007
【図６】
2016112096.tif 000008
【図７】
2016112096.tif 000009
【図８】
2016112096.tif 000010
【図９】
2016112096.tif 000011